(57)【要約】      （修正有）【課題】飲み口部材を汚すことを回避し、衛生的であり、操作しやすい飲料用容器の飲み口分離構造を提供する。【解決手段】飲料用容器の飲み口分離構造は、蓋体１、上蓋２及び飲み口部材３を備え、飲み口部材３は蓋体１の上部を覆い、上蓋２は飲み口部材３の上部を覆い、飲み口部材３と上蓋２は接続機構によって蓋体１に接続され、上蓋２と飲み口部材３はそれぞれ各々の開閉機構によって上蓋２と飲み口部材３の開閉を実現する。該構造は操作が簡単であり、使用者が片手で上蓋２及び飲み口部材３を開けることができ、水を飲むこともカップに水を注入することも簡単になり、また、飲み口部材３付きの蓋を取り外して脇に置いておく必要がなく、それによって手が直接蓋の中栓に接触することを回避し、中栓を汚染から守る効果を発揮する。【選択図】図１
0003229521.tif 000002
【実用新案登録請求の範囲】
【請求項１】
蓋体、上蓋及び飲み口部材を備え、飲み口部材は蓋体の上部を覆い、上蓋は飲み口部材の上部を覆い、飲み口部材と上蓋は接続機構によって蓋体に接続され、前記上蓋と飲み口部材はそれぞれ各々の開閉機構によって上蓋と飲み口部材の開閉を実現することを特徴とする飲料用容器の飲み口分離構造。
【請求項２】
上蓋と飲み口部材の一側の外側壁はヒンジ連結機構によって蓋体にヒンジ連結され、上蓋と飲み口部材の他側の外側壁はいずれも係止機構によって蓋体に係止接続されることを特徴とする請求項１に記載の飲料用容器の飲み口分離構造。
【請求項３】
蓋体の外側壁に第１突起が形成され、上蓋の外側壁に接続部が形成され、接続部は第１突起にヒンジ連結され、飲み口部材の外側壁に飲み口部材接続部が形成され、飲み口部材接続部は第１突起にヒンジ連結されることを特徴とする請求項２に記載の飲料用容器の飲み口分離構造。
【請求項４】
前記飲料用容器の飲み口分離構造は第１押圧スイッチをさらに備え、蓋体の外側壁に第１突起と対向する第２突起が形成され、上蓋の外側壁の接続部と対向する一側に第１突出舌板が形成され、第１押圧スイッチは第２突起にヒンジ連結され、第１押圧スイッチの上部内側に第１係止歯が形成され、第１係止歯は第１突出舌板にマッチングし、第１押圧スイッチの下部はばねによって蓋体に接続されることを特徴とする請求項３に記載の飲料用容器の飲み口分離構造。
【請求項５】
前記飲料用容器の飲み口分離構造は第２押圧スイッチをさらに備え、飲み口部材の外側壁の飲み口部材接続部と対向する一側に第２突出舌板が形成され、第２押圧スイッチは第１押圧スイッチと蓋体との間に位置し、且つ第１押圧スイッチと第２押圧スイッチが同一の軸によって第２突起にヒンジ連結され、第１押圧スイッチに第２押圧スイッチ全体を露出可能な開口が設けられ、第２押圧スイッチの上部内側に第２係止歯が形成され、第２係止歯は第２突出舌板にマッチングし、第２押圧スイッチの下部はばねによって蓋体に接続されることを特徴とする請求項４に記載の飲料用容器の飲み口分離構造。
【請求項６】
飲み口部材の外側壁に第２突出舌板が形成され、蓋体の側壁上端に切り欠きが形成され、切り欠きの位置は第２突出舌板に対応し、飲み口部材が蓋体を覆うと、第２突出舌板は切り欠き内に入り且つ切り欠き内から外側に一部だけ延出し、蓋体の側壁の外側面の切り欠きの下端に位置する位置に、突起したスライドレールが形成され、スライドレールに、スライドレールに沿ってスライド可能なスライドロックが設置され、スライドロックはスライドレールに沿って一側にスライドし、第２突出舌板の外側端をスライドレールに押し付け、それにより飲み口部材を蓋体に固定することを特徴とする請求項４に記載の飲料用容器の飲み口分離構造。
【請求項７】
飲み口部材に外に突出した飲み口が形成されることを特徴とする請求項１−６のいずれか一項に記載の飲料用容器の飲み口分離構造。
【請求項８】
飲み口部材の外径は上蓋の内径よりも小さいことを特徴とする請求項１−６のいずれか一項に記載の飲料用容器の飲み口分離構造。
【請求項９】
飲み口部材の下部に中栓が設けられる請求項１−６のいずれか一項に記載の飲料用容器の飲み口分離構造。
【考案の詳細な説明】
【技術分野】
【０００１】
本考案は飲料用容器の技術分野に属し、具体的には飲料用容器の飲み口分離構造に関する。
【背景技術】
【０００２】
現在、公知のカップの蓋は蓋体及び中栓からなる。中栓が係止又はねじによって蓋体に固定され、水を注入する時、両手で蓋を取り外して脇に置いておく必要があり、その結果、中栓が汚染されやすく、且つ操作が不便である。
【考案の概要】
【考案が解決しようとする課題】
【０００３】
上記従来技術の問題に対して、本考案は、上記の技術欠陥の発生を回避できる飲料用容器の飲み口分離構造を提供することを目的とする。
【課題を解決するための手段】
【０００４】
上記考案の目的を実現するために、本考案は以下の技術案を提供する。
【０００５】
飲料用容器の飲み口分離構造であって、蓋体、上蓋及び飲み口部材を備え、飲み口部材は蓋体の上部を覆い、上蓋は飲み口部材の上部を覆い、飲み口部材と上蓋は接続機構によって蓋体に接続され、前記上蓋と飲み口部材はそれぞれ各々の開閉機構によって上蓋と飲み口部材の開閉を実現する。
【０００６】
さらに、上蓋と飲み口部材の一側の外側壁はヒンジ連結機構によって蓋体にヒンジ連結され、上蓋と飲み口部材の他側の外側壁はいずれも係止機構によって蓋体に係止接続される。
【０００７】
さらに、蓋体の外側壁に第１突起が形成され、上蓋の外側壁に接続部が形成され、接続部は第１突起にヒンジ連結され、飲み口部材の外側壁に飲み口部材接続部が形成され、飲み口部材接続部は第１突起にヒンジ連結される。
【０００８】
さらに、前記飲料用容器の飲み口分離構造は第１押圧スイッチをさらに備え、蓋体の外側壁に第１突起と対向する第２突起が形成され、上蓋の外側壁の接続部と対向する一側に第１突出舌板が形成され、第１押圧スイッチは第２突起にヒンジ連結され、第１押圧スイッチの上部内側に第１係止歯が形成され、第１係止歯は第１突出舌板にマッチングし、第１押圧スイッチの下部はばねによって蓋体に接続される。
【０００９】
さらに、前記飲料用容器の飲み口分離構造は第２押圧スイッチをさらに備え、飲み口部材の外側壁の飲み口部材接続部と対向する一側に第２突出舌板が形成され、第２押圧スイッチは第１押圧スイッチと蓋体との間に位置し、且つ第１押圧スイッチと第２押圧スイッチは同一の軸によって第２突起にヒンジ連結され、第１押圧スイッチに第２押圧スイッチ全体を露出可能な開口が設けられ、第２押圧スイッチの上部内側に第２係止歯が形成され、第２係止歯は第２突出舌板にマッチングし、第２押圧スイッチの下部はばねによって蓋体に接続される。
【００１０】
さらに、飲み口部材の外側壁に第２突出舌板が形成され、蓋体の側壁上端に切り欠きが形成され、切り欠きの位置は第２突出舌板に対応し、飲み口部材が蓋体を覆うと、第２突出舌板は切り欠き内に入り且つ切り欠き内から外側に一部だけ延出し、蓋体の側壁の外側面の切り欠きの下端に位置する位置に、突起したスライドレールが形成され、スライドレールに、スライドレールに沿ってスライド可能なスライドロックが設置され、スライドロックはスライドレールに沿って一側にスライドし、第２突出舌板の外側端をスライドレールに押し付け、それにより飲み口部材を蓋体に固定する。
【００１１】
さらに、飲み口部材に外に突出した飲み口が形成される。
【００１２】
さらに、飲み口部材の外径は上蓋の内径よりも小さい。
【００１３】
さらに、飲み口部材の下部に中栓が設けられる。
【考案の効果】
【００１４】
本考案に係る飲料用容器の飲み口分離構造は、構造設計が科学的かつ合理的であり、人が水を飲む時、口を飲み口に当てて、カップ内の水が飲み口を経由して人の口内に流れ、人の口がカップ本体や蓋体に接触しないため、衛生的であり、カップ本体内に水を注入する必要がある時、上蓋を開けた後、飲み口部材を上げて蓋体の上端開口を露出させ、その後、蓋体の上端開口内に水を注入し、水をカップ本体内に流す。満杯になると、飲み口部材を蓋体の上端開口で覆い、さらに上蓋をかけ、このように、水の注入がさらに簡単になり、飲み口部材を取り外して脇に置いておく必要がなく、それによって飲み口部材を汚すことを回避し、衛生的であり、操作しやすく、実際の応用ニーズを十分に満たすことができる。
【図面の簡単な説明】
【００１５】
【図１】図１は実施例１の上蓋及び飲み口部材がいずれも開放している状態の構造模式図である。
【図２】図２は実施例１の上蓋及び飲み口部材がいずれも閉鎖している状態の構造模式図である。
【図３】図３は実施例２の上蓋及び飲み口部材がいずれも開放している状態の構造模式図である。
【図４】図４は実施例２の上蓋及び飲み口部材がいずれも閉鎖している状態の構造模式図である。
【図５】図５は実施例２の上蓋及び飲み口部材がいずれも開放している状態の上面図である。
【図６】図６は実施例２の上蓋及び飲み口部材がいずれも閉鎖している状態の上面図である。
【図７】図７は実施例３の構造模式図である。
【考案を実施するための形態】
【００１６】
本考案の目的、技術案及び利点をより明瞭にするために、以下、図面及び具体的な実施例を参照して本考案をさらに説明する。なお、ここで説明される具体的な実施例は単に本考案を説明するものであり、本考案を限定するものではない。本考案の実施例に基づいて、当業者が創造的な努力をせずに想到し得るほかの実施例はいずれも本考案の保護範囲に属する。
【００１７】
実施例１
図１及び図２に示すように、飲料用容器の飲み口分離構造は蓋体１、上蓋２、飲み口部材３、第１押圧スイッチ４及び第２押圧スイッチ５を備え、蓋体１の外側壁に第１突起１１及び第１突起１１と正対する第２突起１２が形成され、上蓋２の外側壁に接続部２２が形成され、接続部２２は第１突起１１にヒンジ連結され、上蓋２の外側壁の接続部２２と対向する一側に第１突出舌板２１が形成され、環状の飲み口部材３の外側壁に飲み口部材接続部が形成され、飲み口部材接続部は第１突起１１にヒンジ連結され、且つ飲み口部材接続部と上蓋２の接続部２２は同一の軸によって第１突起１１にヒンジ連結され、飲み口部材３の外側壁の飲み口部材接続部と対向する一側に第２突出舌板３１が形成され、飲み口部材３に外に突出した飲み口部３２が形成され、飲み口部材３の下部に中栓９が一体的に設けられ、第２押圧スイッチ５の寸法は第１押圧スイッチ４の寸法よりも小さく、第２押圧スイッチ５は第１押圧スイッチ４と蓋体１の外側壁との間に位置し、且つ第１押圧スイッチ４の中央と第２押圧スイッチ５の中央は同一の軸によって第２突起１２にヒンジ連結され、第１押圧スイッチ４に第２押圧スイッチ５全体を露出可能な開口４２が設けられ、それによって人が指を開口４２内に差し込んで第２押圧スイッチ５を押圧することができ、第１押圧スイッチ４の上部の内側に第１係止歯４１が形成され、第２押圧スイッチ５の上部の内側に第２係止歯５１が形成され、第２係止歯５１は第１係止歯４１の下方に位置し、且つ第１係止歯４１と第２係止歯５１はそれぞれ第１突出舌板２１と第２突出舌板３１にマッチングし、第１押圧スイッチ４の下部は押圧部４３であり、押圧部４３はばね４４によって蓋体１に接続される。第２押圧スイッチ５の下部はばねによって蓋体１に接続される。
【００１８】
飲料用容器の飲み口分離構造は水カップ本体の上端開口に設置される。蓋体１の下部に雌ねじが設けられ、蓋体１が水カップ本体の上端に螺合される。
【００１９】
飲料用容器の飲み口分離構造が閉鎖状態である時、第２突出舌板３１が第２係止歯５１に係止され、第１突出舌板２１が第１係止歯４１に係止され、飲み口部材３は蓋体１の上端開口を覆い、上蓋２は飲み口部材３及び蓋体１の上端を覆う。水を飲む時、手で第１押圧スイッチ４の押圧部４３を押圧し、第１係止歯４１は第１突出舌板２１を解放し、それによって、上蓋２を上に開く。次に、人は口を飲み口部３２に当てて水を飲むことができ、水カップ本体内の水が飲み口部３２を経由して人の口内に流れ、人の口がカップ本体や蓋体１に接触しないため、衛生的である。カップ本体内に水を注入する必要がある時、上蓋２を開けた後、手を開口４２内に差し込んで第２押圧スイッチ５の下部を押圧し、第２係止歯５１は第２突出舌板３１を解放し、それによって飲み口部材３を上げて蓋体１の上端開口を露出させ、その後、蓋体１の上端開口内に水を注入し、水をカップ本体内に流す。満杯になると、飲み口部材３を蓋体１の上端開口で覆い、さらに上蓋２を閉じる。
【００２０】
実施例２
図３〜図６に示すように、飲料用容器の飲み口分離構造は蓋体１、上蓋２、飲み口部材３及び第１押圧スイッチ４を備え、蓋体１の外側壁に第１突起１１及び第１突起１１と正対する第２突起１２が形成され。上蓋２の外側壁に接続部２２が形成され、接続部２２は第１突起１１にヒンジ連結され、上蓋２の外側壁の接続部２２と対向する一側に第１突出舌板２１が形成され、環状の飲み口部材３の外側壁に飲み口部材接続部が形成され、飲み口部材接続部は第１突起１１にヒンジ連結され、且つ飲み口部材接続部と上蓋２の接続部２２は同一の軸によって第１突起１１にヒンジ連結され、飲み口部材３の外側壁に第２突出舌板３１が形成され、飲み口部材３に飲み口部３２が形成され、第１押圧スイッチ４の上部の内側に第１係止歯４１が形成され、第１係止歯４１は第１突出舌板２１にマッチングし、第１押圧スイッチ４の下部が押圧部４３であり、押圧部４３がばねによって蓋体１に接続される。飲料用容器の飲み口分離構造が閉鎖状態である時、第１突出舌板２１は第１係止歯４１に係止され、上蓋２を開放する必要がある時、手で第１押圧スイッチ４の押圧部４３を押圧して、第１係止歯４１は第１突出舌板２１を解放し、それによって上蓋２を上に開く。蓋体１の側壁上端に切り欠き８が形成され、切り欠き８の位置が第２突出舌板３１に対応し、飲み口部材３が蓋体１を覆うと、第２突出舌板３１は切り欠き８内に入り且つ切り欠き８内から外側に一部だけ延出する。蓋体１の側壁の外側面の切り欠き８の下端に位置する位置に、突起したスライドレール７が形成され、スライドレール７に、スライドレール７に沿ってスライド可能なスライドロック６が設置され、スライドロック６がスライドレール７に沿って一側にスライドし、第２突出舌板３１の外側端をスライドレール７に押し付け、それにより飲み口部材３を蓋体１に固定する。飲み口部材３を開放する必要がある時、スライドロック６をスライドレール７に沿って他側にスライドさせ、スライドロック６が第２突出舌板３１を押圧しなくなると、飲み口部材３を上げて蓋体１の上端開口を開放することができる。
【００２１】
実施例３
図７に示すように、実施例３と実施例１との相違点は以下の通りである。飲み口部材３の外径は上蓋２の内径よりも小さく、第１突出舌板２１を第１突起噛合部２３に置換し、第２突出舌板３１を第２突起噛合部３３に置換する。第１突起噛合部２３及び第２突起噛合部３３の外側壁に溝が凹んで形成され、上蓋２と飲み口部材３が閉じると、第１係止歯４１及び第２係止歯５１がそれぞれ第１突起噛合部２３及び第２突起噛合部３３の溝内に挿入される。
【００２２】
以上の実施例は、本考案の実施形態を説明するために詳細に説明されているが、本実用新案登録請求の範囲を限定するものではない。なお、当業者であれば、本考案の趣旨を逸脱せずに種々の変更や改良を行うことができ、これらの変更や改良はすべて本考案の保護範囲に属する。従って、本考案の保護範囲は添付の実用新案登録請求の範囲に準じるべきである。
【符号の説明】
【００２３】
１−蓋体、１１−第１突起、１２−第２突起、２−上蓋、２１−第１突出舌板、２２−接続部、２３−第１突起噛合部、３−飲み口部材、３１−第２突出舌板、３２−飲み口部、３３−第２突起噛合部、４−第１押圧スイッチ、４１−第１係止歯、４３−押圧部、４４−ばね、５−第２押圧スイッチ、５１−第２係止歯、６−スライドロック、７−スライドレール、８−切り欠き、９−中栓
【図１】
0003229521.tif 000003
【図２】
0003229521.tif 000004
【図３】
0003229521.tif 000005
【図４】
0003229521.tif 000006
【図５】
0003229521.tif 000007
【図６】
0003229521.tif 000008
【図７】
0003229521.tif 000009